(57)【要約】【課題】専門的な知識や滅菌された専用の器具を必要としないと共に高価な器具を必要としないだけでなく、簡易に取り付け可能な吸収性物品を提供する。【解決手段】不透液性バックシート２の内面と透液性トップシート１との間の位置に吸収体３が介在され、不透液性バックシート２の外面側に外装シート１２が積層される。透液性トップシート１、吸収体３、不透液性バックシート２及び外装シート１２をそれぞれ貫通する四角形状の貫通穴１４が設けられる。貫通穴１４に対応する不透液性バックシート２及び外装シート１２の部分に、尿を蓄える為の蓄尿袋１６が設置される。透液性トップシート１上における貫通穴１４の周囲部分に、２つの尿導入材１８、２０の一端側が接着される。尿導入材１８、２０はそれぞれ蓄尿袋１６内に延在して他端側が蓄尿袋１６内に位置している。【選択図】図４
2010051732.tif 000002
【特許請求の範囲】
【請求項１】
股間にあてがわれる股間部とその前側に延在する腹側部分とに亘るように少なくとも形成された繊維集合体からなる吸収体が、液体を透過させる透液性トップシートと液体を透過させない不透液性バックシートとの間に介在された吸収性物品において、
透液性トップシートから不透液性バックシートに亘って貫通する貫通穴が形成されると共に、この貫通穴に対応する不透液性バックシートの部分に尿を蓄える蓄尿袋が設置され、透液性トップシート上に基端側を有した尿導入材が蓄尿袋内に延在している吸収性物品。
【請求項２】
蓄尿袋内に尿を吸収する吸収体が入っている請求項１記載の吸収性物品。
【請求項３】
尿導入材が、撥水性の材料により形成されている請求項１または請求項２に記載の吸収性物品。
【請求項４】
尿導入材が、その幅方向中程を一段低くして形成された案内部を有する請求項１から請求項３のいずれかに記載の吸収性物品。
【発明の詳細な説明】
【技術分野】
【０００１】
本発明は、自分の意志で排尿をコントロールしたり排尿の始末をしたりするのが困難な人が装着して排尿を一時的に蓄える吸収性物品に関し、例えば自力歩行が困難な老人、入院患者、身体障害者、その他の人が使用可能なものである。
【背景技術】
【０００２】
一般に、自力歩行が困難な老人、身体障害者、怪我や病気での入院患者などは、自分の意志で排尿をコントロールすることが困難であったり、自力での尿の後始末が困難な場合があったりする。このような場合には、一般的に膀胱に管を直接挿入して採尿したり、あるいは尿レシーバ及びこれに繋がる採尿管を用いて尿を真空ポンプによって吸引し尿タンクに導尿するような自動排尿処理装置が使用されたりしている。そして、この自動排尿処理装置としては、例えば下記の特許文献１〜３に示されたものが知られている。
【特許文献１】特開２００６−２６１０８号公報
【特許文献２】特開２００６−１３６４９１号公報
【特許文献３】特開２００６−１３６４９２号公報
【発明の開示】
【発明が解決しようとする課題】
【０００３】
しかし、膀胱に直接管を挿入する場合には、使用者の不快感も大きく、また尿道や膀胱を傷つけたり、感染症を引き起こしたりする可能性が高いなどの観点から、専門的な知識や滅菌された専用の器具が無いと、処理が困難になる欠点を有していた。
【０００４】
この一方、自動排尿処理装置は、尿レシーバにより採取した尿を真空ポンプによって吸引して尿タンクに導尿する構造とされていることから、尿レシーバを身体に取り付ける手間が必要となったり、真空ポンプやセンサ等の複雑で高価な装置が必要になったりするだけでなく、採尿管に装着者が常時繋がれた状態となるため、著しく装着者の体の動きが妨げられていた。つまり、装着者及び介護者の精神的や肉体的な負担が多くなったり、経済的な負担も大きくなったりしていた。
【０００５】
そこで、本発明の主たる課題は、専門的な知識や滅菌された専用の器具を必要としないと共に高価な器具を必要としないだけでなく、簡易に取り付け可能な吸収性物品を提供することにある。
【課題を解決するための手段】
【０００６】
請求項１に係る吸収性物品は、股間にあてがわれる股間部とその前側に延在する腹側部分とに亘るように少なくとも形成された繊維集合体からなる吸収体が、液体を透過させる透液性トップシートと液体を透過させない不透液性バックシートとの間に介在された吸収性物品において、
透液性トップシートから不透液性バックシートに亘って貫通する貫通穴が形成されると共に、この貫通穴に対応する不透液性バックシートの部分に尿を蓄える蓄尿袋が設置され、透液性トップシート上に基端側を有した尿導入材が蓄尿袋内に延在している。
【０００７】
請求項１に係る吸収性物品の作用を以下に説明する。
本請求項の吸収性物品によれば、透液性トップシートと不透液性バックシートとの間に、股間にあてがわれる股間部とその前側に延在する腹側部分とに亘るように形成された繊維集合体からなる吸収体が、介在されている。
【０００８】
この一方、この吸収性物品の透液性トップシートから不透液性バックシートに亘って貫通する貫通穴が形成されていて、これに合わせて、この貫通穴に対応する不透液性バックシートの部分に尿を蓄える蓄尿袋が設置されている。さらに、透液性トップシート上に基端側を有した尿導入材がこの蓄尿袋内に延在している。
【０００９】
従って、本請求項に係る吸収性物品によれば、安価な紙おむつ等の吸収性物品に貫通穴を設け、装着者と接触しない側とされる不透液性バックシート側に蓄尿袋を配置しただけでなく、装着者と接触する側の透液性トップシート上に基端側を有した尿導入材をこの蓄尿袋内に延在させた構造となっている。このことで、この尿導入材により案内されて、尿を蓄尿袋内に確実に蓄えられるようになる。
【００１０】
つまり、専門的な知識や滅菌された専用の器具を必要としないと共に高価な器具を必要としないで、尿を確実に蓄えることができるだけでなく、紙おむつのような吸収性物品を装着者に単に装着するだけで良いので、吸収性物品を簡易に装着可能ともなる。この一方、本請求項のような蓄尿袋を備えた吸収性物品を使用することで、装着者はスムーズな動きが可能となると共に、排尿した際にも吸収性物品に対してこの蓄尿袋だけを取り換えるだけで良くなるのに伴って、おむつ交換の手間が省け、結果として装着者の睡眠を妨げることもない。
【００１１】
請求項２に係る吸収性物品の作用を以下に説明する。
本請求項に係る吸収性物品は請求項１と同一の作用を奏する。但し、本請求項では、蓄尿袋内に尿を吸収する吸収体が入っているという構成を有している。
つまり、本請求項によれば、尿を吸収する吸収体が蓄尿袋内に入っていることで、蓄尿袋内に入った尿が吸収体に吸収されるのに伴い、蓄尿袋から尿が誤って漏れ出すことがなくなる結果、より衛生的になるだけでなく、装着者や介護者の精神的や肉体的な負担も一層少なくなる。
【００１２】
請求項３に係る吸収性物品の作用を以下に説明する。
本請求項に係る吸収性物品は請求項１及び請求項２と同一の作用を奏する。但し、本請求項では、尿導入材が、撥水性の材料により形成されているという構成を有している。
つまり、本請求項によれば、尿導入材が撥水性とされるのに伴い、尿をはじいて尿が染み込み難くなる結果として、尿を蓄尿袋内に確実に誘導し易くなり、この結果として、請求項２と同様に、より衛生的になるだけでなく、装着者や介護者の精神的や肉体的な負担も一層少なくなる。
【００１３】
請求項４に係る吸収性物品の作用を以下に説明する。
本請求項に係る吸収性物品は請求項１から請求項３と同一の作用を奏する。但し、本請求項では、尿導入材が、その幅方向中程を一段低くして形成された案内部を有するという構成を有している。
【００１４】
つまり、本請求項によれば、尿導入材の幅方向中程を一段低くして形成された案内部を尿導入材が有する構造とされることで、この案内部に沿って蓄尿袋内に貫通穴を介しつつ尿をより確実に案内できるようになる。
【発明の効果】
【００１５】
以上のとおり本発明によれば、専門的な知識や滅菌された専用の器具を必要としないと共に高価な器具を必要としないだけでなく、簡易に取り付け可能な吸収性物品となる等の利点がもたらされる。
【発明を実施するための最良の形態】
【００１６】
以下では、吸収パッドの例を用いて本発明に係る吸収性物品の第１の実施の形態を図示しつつ説明するが、本発明は止着式又はパンツ型等の各種の紙おむつにも適用できるものである。
【００１７】
図１〜図５は、本発明に係る吸収性物品の具体例とされる第１の実施の形態の吸収パッドを示している。この吸収パッドは、単体で、あるいは紙おむつの内面に敷いて使用されることを想定したものであり、前後方向中間部をなして股間にあてがわれる股間部Ｍと、その前後両側に延在する腹側部分Ｆ及び背側部分Ｂとを有するものである。
【００１８】
各部の寸法は適宜定めることができ、物品全長（前後方向長さ）Ｌ１は４９０〜６３０ｍｍ程度、全幅は２８０〜３２０ｍｍ程度とすることができ、この場合における股間部Ｍの前後方向長さは１５０〜１９０ｍｍ程度、幅は２８０〜３２０ｍｍ程度、腹側部分Ｆの前後方向長さは１１０〜１５０ｍｍ程度、幅は１５０〜３２０ｍｍ程度、及び背側部分Ｂの前後方向長さは１１０〜１５０ｍｍ程度、幅は１１０〜３２０ｍｍ程度とすることができる。特に、図示形態のように、腹側部分Ｆの幅が背側部分Ｂの幅よりも広く（例えば５０〜１００ｍｍ程度）、股間部Ｍの腹側が腹側部分Ｆと同幅となり且つ背側が背側部分Ｂと同幅となるように、股間部Ｍの幅が前後方向中間部で変化されているのが好ましい。
【００１９】
この吸収パッドは、液体を透過させない不透液性バックシート２の内面と液体を透過させる透液性トップシート１との間の位置であって、股間部Ｍから腹側部分Ｆに亘った部分に、繊維集合体からなる吸収体３が介在された基本構造を有している。そして、この不透液性バックシート２の他面側となる外面側には、不織布からなる外装シート１２が積層されている。
【００２０】
吸収体３としては、パルプ繊維の積繊体、セルロースアセテート等のフィラメントの集合体、あるいは不織布を基本とし、必要に応じて吸収性ポリマーを混合、固着等してなるものを用いることができる。必要に応じて、吸収体３はクレープ紙（図示せず）により包むことができる。また、吸収体３の形状は、図示のように相対的に前側の部分が後側の部分よりも幅広な帯状、あるいは長方形状、台形状等、適宜の形状とすることができる。
吸収体３における繊維目付け及び吸収性ポリマーの目付けは適宜定めることができるが、繊維目付けは１５０〜４００ｇ／ｍ2程度とするのが好ましく、また吸収性ポリマーの目付けは１５０〜４２０ｇ／ｍ2程度とするのが好ましい。
【００２１】
吸収体３の裏面側には、不透液性バックシート２が吸収体３の周縁より若干食み出すように設けられている。不透液性バックシート２としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２２】
また、不透液性バックシート２の外面側は、前述のように不織布からなる外装シート１２により覆われており、この外装シート１２は、所定の食み出し幅をもってバックシート２の周縁より外側に食み出している。外装シート１２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２３】
吸収体３の表面側は、透液性トップシート１により覆われている。図示形態では透液性トップシート１の側縁から吸収体３が一部食み出しているが、吸収体３の側縁が食み出さないように透液性トップシート１の幅を広げることもできる。透液性トップシート１としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２４】
吸収パッドの前後方向両端部では、外装シート１２および透液性トップシート１が吸収体３の前後端よりも前後両側にそれぞれ延在されて貼り合わされ、吸収体３の存在しないエンドフラップ部ＥＦが形成されている。吸収パッドの両側部では、外装シート１２が吸収体３の側縁よりも外側にそれぞれ延在され、この延在部から透液性トップシート１の側部までの部分の内面にはバリヤシート４の幅方向外側の部分４ｘが前後方向全体にわたり貼り付けられ、吸収体３の存在しないサイドフラップ部ＳＦを構成している。
【００２５】
これら貼り合わせ部分は、図３では点模様で示されており、ホットメルト接着剤、ヒートシール、超音波シールにより形成できる。外装シート１２を設けない場合、外装シート１２に代えて不透液性バックシート２をサイドフラップ部ＳＦまで延在させ、サイドフラップ部ＳＦの外面側を形成することができる。
【００２６】
バリヤシート４の素材としては、プラスチックシートやメルトブローン不織布を使用することもできるが、肌への感触性の点で、不織布にシリコンなどにより撥水処理をしたものが好適に使用される。バリヤシート４の幅方向中央側の部分４ｃは透液性トップシート１上にまで延在しており、その幅方向中央側の端部には、細長状弾性部材４Ｇが前後方向に沿って伸張状態でホットメルト接着剤等により固定されている。
【００２７】
この細長状弾性部材４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２８】
また、両バリヤシート４，４は、幅方向外側の部分４ｘが前後方向全体にわたり物品内面（図示形態では透液性トップシート１表面および外装シート１２内面）に貼り合わされて固定されるとともに、幅方向中央側の部分４ｃが、前後方向の両端部では物品内面（図示形態では透液性トップシート１表面）に貼り合わされて固定され、かつ前後方向の両端部間では物品内面（図示形態では透液性トップシート１表面）に固定されていない。この非固定部分は、図３に示されるように、物品内面（図示形態では透液性トップシート１表面）に対して起立可能なバリヤ部となる部分であり、その起立基端はバリヤシート４における幅方向外側の固定部分４ｘと内側の部分４ｃとの境に位置する。
【００２９】
本実施の形態の吸収パッドにおける腹側の端部からの距離Ｌ２が１２０〜１７０ｍｍ程度であってこの吸収パッドの幅方向中央部の位置には、透液性トップシート１、吸収体３、不透液性バックシート２及び外装シート１２を相互に同一形状でそれぞれ貫通する貫通穴１４が設けられており、また、この貫通穴１４は幅寸法Ｄ１が８０〜１５０ｍｍ程度とされる四角形状に形成されている。つまり、この吸収パッドには、透液性トップシート１から不透液性バックシート２に亘って貫通するだけでなく、外装シート１２をも貫通する四角形状の貫通穴１４が形成されていることになる。
【００３０】
図２及び図４に示すように、この貫通穴１４に対応する不透液性バックシート２上の外装シート１２部分には、例えばポリエチレン等のプラスチック製とされる尿を蓄える為の蓄尿袋１６が設置されている。具体的には、この蓄尿袋１６の開放端部が、不透液性バックシート２及び外装シート１２側に形成された貫通穴１４の周囲部分に接着剤や接着テープ等で、尿が漏れないように一周に亘って接合されることで、吸収パッドにこの蓄尿袋１６が設置されている。
【００３１】
さらに、図１及び図４に示すように、透液性トップシート１上における貫通穴１４の周囲部分とされる透液性トップシート１の前側及び後側に、撥水性とされる不織布等の材料によりそれぞれ形成された２つの尿導入材１８、２０の一端側である基端側が、ホットメルト等によりそれぞれ接着されており、このことで、透液性トップシート１にこれら２つの尿導入材１８、２０がそれぞれ取り付けられている。そして、これら２つの尿導入材１８、２０はそれぞれ貫通穴１４内を通過して蓄尿袋１６内にまで延在しており、これら２つの尿導入材１８、２０の他端側である先端側は、それぞれ蓄尿袋１６内に位置している。
【００３２】
また、これら２つの尿導入材１８、２０には、その基端側から先端側に向かってそれぞれ伸びる折り線２２が４本ずつ設けられていて、２つの尿導入材１８、２０のそれぞれ幅方向中程が一段低くされた案内部１８Ａ、２０Ａを有するように、図５に示す尿導入材１８、２０の横断面が屈曲された構造とされている。さらに、４本の折り線２２により重なる尿導入材１８、２０の図５に示す部分にホットメルト等の接着剤Ｓが塗布されて、この重なる部分が接着されている。
【００３３】
次に、上記のように構成された本実施の形態に係る吸収パッドの作用を説明する。
本実施の形態の吸収パッドによれば、透液性トップシート１と不透液性バックシート２との間に、身体の股間にあてがわれる股間部Ｍとその前側に延在する腹側部分Ｆとに亘るように形成された繊維集合体からなる吸収体３が、介在されている。また、この不透液性バックシート２の他面側に不織布からなる外装シート１２が積層されている。
【００３４】
この一方、この吸収パッドの透液性トップシート１から外装シート１２に亘って貫通する貫通穴１４が形成されていて、これに合わせて、この貫通穴１４に対応する不透液性バックシート２及び外装シート１２側の部分に尿を蓄える蓄尿袋１６が設置されている。さらに、透液性トップシート１上に基端側を有した２つの尿導入材１８、２０がこの蓄尿袋１６内に延在していて、また、これら尿導入材１８、２０は撥水性の材料によって形成されている。
【００３５】
従って、本実施の形態に係る吸収パッドによれば、安価な紙おむつ等の吸収パッドに貫通穴１４を設け、装着者と接触しない側とされる不透液性バックシート２側に蓄尿袋１６を配置しただけでなく、装着者と接触する透液性トップシート１上に基端側を有した尿導入材１８、２０をこの蓄尿袋１６内に延在させた構造となっている。このことで、これら２つの尿導入材１８、２０によりそれぞれ案内されて、尿を蓄尿袋１６内に確実に蓄えられるようになる。
【００３６】
つまり、専門的な知識と滅菌された専用の器具や高価な器具を必要としないで、尿を確実に蓄えることができるだけでなく、紙おむつのような吸収パッドを装着者に単に装着するだけで良いので、吸収パッドを簡易に装着可能ともなる。この一方、蓄尿袋１６を備えた本実施の形態の吸収パッドを使用することで、装着者はスムーズな動きが可能となると共に、排尿した際にも吸収パッドに対してこの蓄尿袋１６だけを取り換えるだけで良くなるのに伴って、おむつ交換の手間が省け、結果として装着者の睡眠を妨げることもない。
【００３７】
他方、本実施の形態では、尿導入材１８、２０が撥水性とされるのに伴い、尿をはじいて尿が染み込み難くなる結果として、尿を蓄尿袋１６内に確実に誘導し易くなり、より衛生的になるだけでなく、装着者や介護者の精神的や肉体的な負担も一層少なくなる。
【００３８】
また、本実施の形態では、２つの尿導入材１８、２０の基端側から先端側に向かってそれぞれ伸びる折り線２２が２つの尿導入材１８、２０にそれぞれ４本設けられていて、２つの尿導入材１８、２０のそれぞれ幅方向中程が一段低くされた案内部１８Ａ、２０Ａを有するように尿導入材１８、２０の横断面が屈曲された構造とされている。
【００３９】
つまり、本実施の形態によれば、２つの尿導入材１８、２０がそれぞれ幅方向中程を一段低くした案内部１８Ａ、２０Ａを有することで、尿導入材１８、２０の折り線２２により形成された案内部１８Ａ、２０Ａに沿って、蓄尿袋１６内に貫通穴１４を介しつつ尿をより確実に案内できるようになる。
【００４０】
次に、本発明に係る吸収性物品の第２の実施の形態を同様に図示しつつ説明する。尚、第１の実施の形態で説明した部材と同一の部材には同一の符号を付して、重複した説明を省略する。
第１の実施の形態では、吸収パッドに形成された貫通穴１４に対応する部分に、尿を蓄える蓄尿袋１６が設置されていたが、本実施の形態では、図６に示すように、更にこの蓄尿袋１６内に尿を吸収する高分子吸収体やパルプ等で構成される吸収体３０が入った構造とされている。
【００４１】
つまり、本実施の形態によれば、第１の実施の形態と同様な作用を奏する他、尿を吸収する吸収体３０が蓄尿袋１６内に入っていることで、蓄尿袋１６内に入った尿が吸収体３０に吸収されるのに伴い、蓄尿袋１６から尿が誤って漏れ出すことがなくなる結果、より衛生的になるだけでなく、装着者や介護者の精神的や肉体的な負担も一層少なくなるという作用も奏する。
【００４２】
尚、上記実施の形態では、蓄尿袋１６をポリエチレン製としたが、確実に尿を蓄えることが可能な材質であれば、他のプラスチック材であっても良く、また更にプラスチック材以外の材質を用いても良い。そして、蓄尿袋１６の開放端部を不透液性バックシート２や外装シート１２に接合する際には、簡易に取り付け取り外し可能なものであれば、上記実施の形態で説明した接着剤や接着テープ等であっても良い。
【００４３】
さらに、上記実施の形態では、２つの尿導入材１８、２０にそれぞれ折り線２２を４本ずつ設けたが、折り線の数はこれに限定されず、伝い漏れを引き起こし易いような多数の本数でなければ良く、折り線の数を例えば２〜４本とすることが考えられる。
【産業上の利用可能性】
【００４４】
本発明は、例えば、パンツ型紙おむつ、止着式紙おむつ、吸収パッドなどの吸収性物品に好適に利用可能なものである。
【図面の簡単な説明】
【００４５】
【図１】本発明の第１の実施の形態に係る吸収パッドの展開状態の平面図である。
【図２】吸収パッドの展開状態の裏面図である。
【図３】図１の３−３矢視線断面図である。
【図４】図１の４−４矢視線拡大断面図である。
【図５】本発明の第１の実施の形態に係る吸収パッドに適用される尿導入材の拡大横断面図である。
【図６】本発明の第２の実施の形態に係る吸収パッドにおける図４に対応する拡大断面図である。
【符号の説明】
【００４６】
１…透液性トップシート
２…不透液性バックシート
３…吸収体
１２…外装シート
１４…貫通穴
１６…蓄尿袋
１８…尿導入材
２０…尿導入材
３０…吸収体
【図１】
2010051732.tif 000003
【図２】
2010051732.tif 000004
【図３】
2010051732.tif 000005
【図４】
2010051732.tif 000006
【図５】
2010051732.tif 000007
【図６】
2010051732.tif 000008